(57)【要約】【課題】  正反射光下のみで生じる光の屈折により、正反射光下における画像の視認性が極めて高く、かつ、盛り上がりを有する画線が消失することがない偽造防止印刷物を提供する。【解決手段】  本発明は、基材上の少なくとも一部に印刷画像を備え、その印刷画像は、明暗フリップフロップ性又はカラーフリップフロップ性の少なくともいずれか一方の光学特性を備え、かつ、明度及び／又は彩度が４００以上、半値幅が２０°以下の光反射性要素と、その光反射性要素の上に、透明性を有する蒲鉾形状の蒲鉾状画線を万線状に配置することで基画像を表現した蒲鉾状画線群が形成されて成ることを特徴とする偽造防止印刷物である。【選択図】  図１
2018065266.tif 000002
【特許請求の範囲】
【請求項１】
基材上の少なくとも一部に情報付与画像を備え、
前記情報付与画像は、明暗フリップフロップ性又はカラーフリップフロップ性の少なくともいずれか一方の光学特性を備え、かつ、明度及び／又は彩度が４００以上、半値幅が２０°以下の光反射性要素と、
前記光反射性要素の上に、透明性を有する蒲鉾形状の蒲鉾状画線を万線状に配置することで基画像を表現した蒲鉾状画線群が形成されて成ることを特徴とする偽造防止印刷物。
【発明の詳細な説明】
【技術分野】
【０００１】
本発明は、偽造防止効果を必要とする銀行券、パスポート、有価証券、身分証明書、カード、通行券等のセキュリティ印刷物の分野において、光が入射することで高い視認性を備えた潜像が出現したり、動画的な視覚効果を生じる偽造防止印刷物に関する。
【背景技術】
【０００２】
複数の画像が切り替わる画像のチェンジ効果や、画像が動いて見える動画効果は、人目をひきやすく、偽造することが困難であることから、近年、セキュリティ印刷物の真偽判別要素として用いられる傾向にある。これらの効果を備えた代表的な技術は、ホログラムであり、チェンジ効果や動画効果を有する様々な形態で、銀行券やパスポート等の高度なセキュリティが要求されるセキュリティ印刷物にも貼付されて広く用いられている。
【０００３】
しかし、ホログラムは、銀行券を代表とする各種セキュリティ印刷物に用いられているものの、一般的な印刷物と比較すると、製造工程の複雑さと高い製造コストに大きな問題がある。
【０００４】
そこで、本出願人は、明暗フリップフロップ性やカラーフリップフロップ性を有し、かつ、盛り上がりを有する画線の集合を用いて印刷画像を形成し、光が入射する角度に応じてそれまで不可視だった潜像画像が印刷画像中に出現したり、印刷画像中に出現した潜像画像が動いて見える偽造防止技術を既に出願している（例えば、特許文献１から特許文献４まで参照）。
【先行技術文献】
【特許文献】
【０００５】
【特許文献１】ＷＯ２００３−０１３８７１号公報
【特許文献２】特開２００５−０４１０８４号公報
【特許文献３】特開２０１４−０３２３７６号公報
【特許文献４】特開２０１５−１７１７７４号公報
【発明の概要】
【発明が解決しようとする課題】
【０００６】
しかし、特許文献１から特許文献４までに記載の技術は、印刷インキによって盛り上がりのある画線を形成するため、盛り上がりのある画線から生じる反射光量の大きさや色相変化の大きさには限界があり、それゆえ出現する潜像画像の視認性の高さには限界があった。
【０００７】
前述の問題を具体的に説明する。印刷インキによって盛り上がりのある画線を形成し、かつ、その画線に優れた明暗フリップフロップ性やカラーフリップフロップ性を付与するためには、明暗フリップフロップ性やカラーフリップフロップ性を有する機能性材料をインキ中に配合することが一般的である。しかし、特に優れた明暗フリップフロップ性やカラーフリップフロップ性を有する機能性材料の多くは、鱗ぺん状の平坦な形状を成している。これらの鱗ぺん状の機能性材料の向きがインキ皮膜内部で揃っている場合に、最も高い明暗フリップフロップ性やカラーフリップフロップ性が発揮される。浸透型インキや溶剤型インキに、これらの鱗ぺん状の機能性材料を付与した場合、インキ樹脂が用紙中に浸透し、揮発することで残された機能性材料は、全て同じ方向に平らに配向（リーフィング）するため、優れた明暗フリップフロップ性やカラーフリップフロップ性がおのずから発揮される。
【０００８】
しかしながら、鱗ぺん状の機能性材料を付与したインキを用いて盛り上がりのある画線を形成した場合、図１０(ａ)のように、盛り上がりのある画線（Ｂ）内部で機能性材料（Ｃ）がそれぞれランダムな方向に固定されるため、機能性材料から生じる反射光（Ｄ）は、同じ方向に向かって生じることはなく、観察者（Ｅ）は、まとまった反射光（Ｄ）を視認できない。このため、いかに優れた性能を有する機能性材料（Ｃ）をインキ中に配合したとしても、盛り上がりのある画線を形成した場合には、機能性材料（Ｃ）が元々有する明暗フリップフロップ性やカラーフリップフロップ性を最大限に引き出すことはできない。
【０００９】
この問題を解決する方法の一つとして、明暗フリップフロップ性やカラーフリップフロップ性を有する機能性材料（Ｃ）に撥水又は撥油処理を施し、盛り上がりのある画線表面に沿ってリーフィングさせるという方法も存在する。しかし、この機能性材料の特別な表面処理には大きな手間とコストが掛かるという問題があった。また、撥水又は撥油処理が施された鱗ぺん状顔料は、インキ樹脂との密着性が弱いことに加え、機能性材料が十分にインキ樹脂に被覆されず、画線表面に機能性材料が露出した状態となるため、画線表面が擦られることで機能性材料が脱落しやすいという、堅ろう性の問題があった。
【００１０】
一方、明暗フリップフロップ性やカラーフリップフロップ性を有する機能性材料（Ｃ）を含有したインキを用い、印刷によって盛り上がりのある画線を形成するのではなく、基材に明暗フリップフロップ性やカラーフリップフロップ性を有する、金属フィルムや薄膜干渉フィルム等の機能性フィルムを貼り付け、特許文献１や特許文献２に記載の画線をエンボスによって盛り上がりを有する画線と同じ凹凸構造を形成する方法も存在する。
【００１１】
機能性フィルムの光学特性は、機能性材料を含んだインキよりも格段に優れているため、この方法で形成した印刷画像は、極めて優れた視認性を有する潜像画像を出現させることができる。しかしながら、図１１（ａ）のように、エンボスによって基材（Ａ）と機能性フィルム（Ｆ）に形成した凹凸は、湿気や加圧等の外的要素が加わることによってダメージを受け、長期的には凹凸構造が消失する可能性があった。また、図１１（ｂ）のように、基材（Ａ）にあらかじめ盛り上がりのある画線（Ｂ）をインキで形成した後、機能性フィルム（Ｆ）を貼り付けることでも優れた視認性を実現できるが、盛り上がりのある画線（Ｂ）が微細な構造を有する場合、盛り上がりのある画線（Ｂ）の表面構造に機能性フィルム（Ｆ）をきれいに貼り付けることができず、機能性フィルム（Ｆ）にしわが入ったり、凹凸が再現しきれない場合があった。
【００１２】
本発明は、上記課題の解決を目的とするものであり、明暗フリップフロップ性やカラーフリップフロップ性を有する機能性フィルムの上に、盛り上がりを有する画線群を印刷インキによって形成する偽造防止印刷物であり、正反射光下のみで生じる光の屈折によって、盛り上がりを有する画線群に機能性フィルムの光学特性が反映される現象を利用することで、正反射光下における画像の視認性が極めて高く、かつ、盛り上がりを有する画線が消失することがない、偽造防止印刷物に関する。
【課題を解決するための手段】
【００１３】
本発明の偽造防止印刷物は、基材上の少なくとも一部に情報付与画像を備え、その情報付与画像は、明暗フリップフロップ性又はカラーフリップフロップ性の少なくともいずれか一方の光学特性を備え、かつ、明度及び／又は彩度が４００以上、半値幅が２０°以下の光反射性要素と、その光反射性要素の上に、透明性を有する蒲鉾形状の蒲鉾状画線を万線状に配置することで基画像を表現した蒲鉾状画線群が形成されて成ることを特徴とする。
【発明の効果】
【００１４】
本発明の偽造防止印刷物は、大きな反射光量を伴う光学特性を、蒲鉾状画線の下に形成される光反射性要素が担うため、従来の技術のように蒲鉾状画線群自体が明暗フリップフロップ性又はカラーフリップフロップ性のような特別な光学特性を備える必要がない。
【００１５】
また、本発明の偽造防止印刷物は、光反射性要素から生じる大きな反射光量によって従来技術と比較して、正反射光下で視認される画像の視認性が向上した。
【００１６】
本発明の偽造防止印刷物は、従来の技術のように、蒲鉾状画線群自体が明暗フリップフロップ性又はカラーフリップフロップ性のような特別な光学特性を備える必要がない。このため蒲鉾状画線群は一定の盛り上がりを有してそれぞれが均質であって、画線表面が滑らかで凹凸の少ない盛り上がりのある画線を形成することに特化して設計されたインキを用いることができ、従来よりも高品質な蒲鉾状画線群を形成することができ、結果として画像、特に潜像画像を形成した場合の画像の鮮明さが向上した。
【００１７】
本発明の偽造防止印刷物では、インキ中に特殊な撥水又は撥油処理された機能性材料を配合する必要がないことから、従来技術の蒲鉾状画線のように、画線表面が擦られることで機能性材料が脱落することがなく、従来の技術と比較して堅ろう性が向上した。また、インキで盛り上がりのある画線を形成するため、湿気や加圧等の外的要素が加わることによる凹凸構造の消失がなくなる。
【図面の簡単な説明】
【００１８】
【図１】本発明の偽造防止印刷物を示す。
【図２】本発明における情報付与画像の構成の概要図を示す。
【図３】本発明における蒲鉾状画線群を示す。
【図４】本発明の効果を示す。
【図５】本発明の偽造防止印刷物が入射光を反射する概要図を示す。
【図６】本発明の偽造防止印刷物に用いる光反射性要素の光学特性の一例を示す。
【図７】本発明の偽造防止印刷物の別の形態を示す。
【図８】本発明の別の形態の情報付与画像の構成の概要図を示す。
【図９】本発明の別の形態における円弧状の蒲鉾状画線群を示す。
【図１０】従来技術が入射光を反射する概要図を示す。
【図１１】従来技術が入射光を反射する概要図を示す。
【発明を実施するための形態】
【００１９】
本発明を実施するための形態について、図面を参照して説明する。しかしながら、本発明は、以下に述べる実施するための形態に限定されるものではなく、特許請求の範囲記載における技術的思想の範囲内であれば、その他の様々な実施の形態が含まれる。
【００２０】
（第一の実施の形態）
第一の実施の形態として、本発明における偽造防止印刷物（以下「印刷物」という。）（１）の基本的な構成について、図１から図６までを用いて説明する。図１に、本発明の偽造防止印刷物（１）を示す。印刷物（１）は、基材（２）上に情報付与画像（３）を有して成る。基材（２）は、情報付与画像（３）が形成可能な平面を備えていれば良く、上質紙、コート紙、プラスティック、金属等、材質は特に限定されない。その他、基材（２）の色彩や大きさについても特に制限はない。情報付与画像（３）の色彩については、透明や半透明であっても、着色されていても良く、すなわち、いかなる色彩でも良い。
【００２１】
図２に情報付与画像（３）の概要を示す。情報付与画像（３）は、光反射性要素（４）の上に蒲鉾状画線群（５）が重なって形成されて成る。なお、図１及び図２については、情報付与画像（３）内に有意情報の「ＪＰ」が形成されている例ではあるが、特に有意情報がなくても、同一方向に配列された単純な蒲鉾状画線群（５）だけでも良い。その場合には、正反射時において、蒲鉾状画線群（５）が下層の光反射性要素（４）が備えている色彩を有して連続的な色変化を奏することとなる。ただし、本発明の特徴をより一層発揮させるには、情報付与画像（３）内に有意情報が形成されていることが好ましい。
【００２２】
この有意情報が形成される場合、拡散反射光下では不可視であって、正反射時に出現する有意情報は、蒲鉾状画線群（５）中に含まれる。なお、以下については、有意情報を形成した場合で説明する。第一の実施の形態において、蒲鉾状画線群（５）は、図３に示すように、第一の蒲鉾状画線群（５Ａ）と第二の蒲鉾状画線群（５Ｂ）から成り、同じ有意情報をそれぞれネガあるいはポジで表して成る。この第一の実施の形態における有意情報とは、アルファベットの「ＪＰ」を表す。
【００２３】
まず、光反射性要素（４）について説明する。光反射性要素（４）とは、蒲鉾状画線群（５）の下層に形成される層であって、本発明においては、蒲鉾状画線群（５）と光反射性要素（４）が重なり合った構造を情報付与画像（３）と定義する。蒲鉾状画線群（５）や光反射性要素（４）が重なり合わずに単独で存在する構造は、情報付与画像（３）に含まれない。情報付与画像（３）に隣接する単なる修飾要素と見なす。
【００２４】
光反射性要素（４）は、光が入射した場合には強く光を反射する特性を有する必要がある。具体的には、光が入射した場合に、明るさ（明度）が上昇する特性、いわゆる明暗フリップフロップ性か、光が入射した場合に色相が変化する特性、いわゆるカラーフリップフロップ性の、少なくともいずれか一方の光学特性を有する必要がある。ただし、光反射性要素（４）は、単に明暗フリップフロップ性か、カラーフリップフロップ性を備えているだけではなく、ある特定の光学特性が必須である。具体的な光学特性については後記する。
【００２５】
また、光反射性要素（４）に凹凸構造は必要なく、平坦な構成でよい。上記の光反射性要素（４）の機能を備えた材料として、明暗フリップフロップ性を有する材料の例としては、反射フィルム、透明ラミネートフィルム、薄膜フィルム等があり、カラーフリップフロップ性を有する材料としては、薄膜干渉フィルム、透明ホログラムフィルム等が挙げられる。フィルムは圧力や熱、超音波、振動、粘着剤等によって基材（２）に貼付すれば良い。
【００２６】
続いて、蒲鉾状画線群（５）について説明する。図３に、基材（２）上に形成された蒲鉾状画線群（５）の一例を示す。蒲鉾状画線群（５）は、一定の幅（Ｗ１）の直線であり、第１の方向（図中Ｓ１方向）及び第１の方向（Ｓ１）とは異なる方向の第２の方向（Ｓ２）の画線方向で一定の盛り上がり高さを有した蒲鉾状画線（６Ａ、６Ｂ）が、万線状に配置されて成る。本発明において、「万線状に配置する」とは、複数の画線が規則的に所定のピッチで配列されている状態をいう。より具体的には、第一の蒲鉾状画線（６Ａ）が、画線方向となる第２の方向（Ｓ２）と直交する第１の方向（Ｓ１）に一定のピッチ（Ｐ１）で連続して配置されて成り、第二の蒲鉾状画線（６Ｂ）が、画線方向の第１の方向（Ｓ１）と直交する第２の方向（Ｓ２）に一定のピッチ（Ｐ１）で連続して配置されて成る。
【００２７】
第一の蒲鉾状画線（６Ａ）が集合することで、第一の蒲鉾状画線群（５Ａ）を形成して有意情報の「ＪＰ」をポジ画像として表し、第二の蒲鉾状画線（６Ｂ）が集合することで、第二の蒲鉾状画線群（５Ｂ）を形成して有意情報の「ＪＰ」をネガ画像として表す。
【００２８】
第一の実施の形態において蒲鉾状画線群（５）は、盛り上がりを有した蒲鉾状の直線の集合によって構成された例について説明するが、本発明における蒲鉾状画線群（５）は、これに限定されるものではない。例えば、特許第５１４２１５３号公報に記載のように、曲線で構成しても良い。拡散反射光下では視認できなかった有意情報が正反射光下のみで視認できる場合、その有意情報を本発明では潜像画像というが、この潜像画像が視認される原理については後述するとし、蒲鉾状画線群（５）が曲線や画素で構成される場合においても、直線で構成される場合と同じ原理で潜像画像は出現することから、本発明に含まれるものとする。
【００２９】
蒲鉾状画線群（５）は、樹脂を含んだ透明又は半透明な材料によって構成される必要がある。ここでいう樹脂とは、ウレタン樹脂、アクリル樹脂、アルキド樹脂、エポキシ樹脂、ポリエステル樹脂、フェノール樹脂等の一般的な印刷インキのワニス成分に当たる、一定の光沢を有した樹脂を指す。このため蒲鉾状画線群（５）は、特定の色彩を有さず、透明又は半透明となる。透かしやエンボス等によって基材（２）に直接凹凸を形成する構成では、本発明の必須要件を満たさない。なお、蒲鉾状画線（６）の高さは３μｍ以上必要である。これ以上低い場合には所望の効果が生じない。高さの上限については存在しないが、流通適正等を鑑みると１ｍｍ以下とすることが好ましい。
【００３０】
続いて、本発明の印刷物（１）の効果について説明する。光源から入射する光の角度と、印刷物（１）から生じる光の反射角度が大きく異なる観察角度に観察者の視点がある場合、すなわち拡散反射光下から印刷物（１）を観察した場合、観察者からは有意情報の「ＪＰ」の文字が視認できない（図示せず）。一方、光源から入射する光の角度と、印刷物（１）から生じる光の反射角度がほぼ等しい観察角度に観察者の視点がある場合、すなわち正反射光下の特定の角度から印刷物（１）を観察した場合、観察者には有意情報の「ＪＰ」が視認される。
【００３１】
また、図４のように、正反射光下においてわずかに観察角度を変化させて印刷物（１）を観察した場合、観察者には有意情報の「ＪＰ」が濃淡反転して視認される。以上のように、拡散反射光下で不可視であった有意情報が、正反射光下において潜像画像として出現し、わずかな観察角度の変化に応じて、情報付与画像（３）中に視認される有意情報の濃淡が反転する効果が生じる。また、その視認性は、従来の特許文献１から特許文献４までに記載の従来の技術群と比較すると、ＣＩＥ１９７６Ｌ＊ａ＊ｂ＊表色系において、色差ΔＥで２倍以上である。
【００３２】
ＣＩＥ１９７６Ｌ＊ａ＊ｂ＊表色系とは、ＣＩＥ（国際照明委員会） が１９７６年に推奨した色空間のことであり、日本工業規格では、ＪＩＳＺ８７２９に規定されている。色差は、ある二色の色空間中における距離のことであり、ＣＩＥ１９７６Ｌ＊ａ＊ｂ＊ 表色系での色差は、二色のＬ＊の差、ａ＊の差及びｂ＊の差をそれぞれ二乗して加え、その平方根をとることで求めることができる。
【００３３】
正反射光下で有意情報が潜像画像として出現し、かつ、ネガポジ反転する効果を生じる理由については、特許文献１や特許文献２に記載の技術と同様であるから説明を省略する。ここでは、従来と同じ画線構成を用いているにもかかわらず、視認性が劇的に高まる効果について説明する。蒲鉾状画線（６）は、印刷で形成されるため、その高さは多くの場合３０μｍ以下であり、その幅は０．１ｍｍを越える。蒲鉾のような盛り上がった形状をしてはいるものの、光を屈折させるには形状が平坦すぎる（高さが足りない）ため、拡散反射光下において、蒲鉾状画線（６）に入射した光は、単に蒲鉾状画線（６）の画線表面で反射される。また、蒲鉾状画線（６）の内部に侵入した光についても、わずかに屈折した後、光反射性要素（４）に吸収されるため、拡散反射光下において屈折による画像の拡大効果、いわゆるレンズ効果に類する作用は生じない。
【００３４】
しかしながら、正反射光下においては、蒲鉾状画線（６）の内部に侵入した光（８Ｂ）は、画線表面でわずかに屈折したのち、光反射性要素（４）で反射され、入射角度と逆方向の同じ角度の反射光（８Ｃ）となり、画線表面で再度わずかに屈折したのち、蒲鉾状画線（６）から生じた反射光（８Ｄ）となる。すなわち、このとき、蒲鉾状画線（６）から生じる反射光（８Ｄ）は、蒲鉾状画線（６）が単体で存在した場合に放つ反射光とは大きく異なり、光反射性要素（４）の光学特性が反映される。
【００３５】
例えば、蒲鉾状画線（６）が透明であって、明暗フリップフロップ性を備えて反射光が白色であり、一方の光反射性要素（４）がカラーフリップフロップ性を備えて反射光が赤色であった場合、蒲鉾状画線（６）に入射して光反射性要素（４）によって反射されて蒲鉾状画線（６）から放たれる反射光（８Ｄ）は、白色ではなく、赤色となる。加えて、正反射光下でのみ、蒲鉾状画線（６）による光の屈折作用が生じることから、反射光の方向が変化する。
【００３６】
具体的には、光反射性要素（４）自体が光を反射しない角度の光が入射した場合、光反射性要素（４）は赤色の反射光を放つことはないが、その上に重ねられた蒲鉾状画線（６）はその画線方向の直交方向に赤色の反射光を放つ。すなわち、正反射光下において蒲鉾状画線（６）から生じる反射光（８Ｄ）には、下面に存在する光反射性要素（４）が備える光学特性が反映され、反射光（８Ｄ）の方向は蒲鉾状画線（６）の画線方向が反映される。なお、最も強い反射光が生じるのは、蒲鉾状画線（６）の画線方向と直交する方向である。
【００３７】
また、蒲鉾状画線（６）から生じる反射光（８Ｄ）から反映されるのは、光反射性要素（４）の反射光の色相だけでなく、輝度（反射光量）も同様に反映される。本来、印刷インキで形成した蒲鉾状画線（６）の輝度には限界があり、一般的には明度Ｌ＊換算で３００を越える反射光を生じさせるのは容易ではない。ただし、本発明で用いる光反射性要素（４）は、金属箔や薄膜フィルム等の機能性フィルムを適用することができるため、その輝度は印刷インキで形成できる画線の比ではない。鏡面仕上げされたアルミテープを例に挙げると、その輝度は明度Ｌ＊換算で１０００を容易に越える。その輝度の高さがそのまま蒲鉾状画線（６）から生じる反射光（８Ｄ）に反映されることから、本発明の印刷物（１）の有意情報の視認性が劇的に高まるのである。
【００３８】
ただし、前述の現象が生じるためには、光反射性要素（４）は、単に明暗フリップフロップ性又はカラーフリップフロップ性さえ備えていればよいわけではなく、より厳密な光学特性が要求される。一つは正反射時の明度及び／又は彩度が４００を越えることであり、もう一つは、図６に示すように、光の入射角を固定して(図６の場合は４５°)受光角度を変化させた場合の明度、あるいは彩度の半値幅ＦＷＨＭ（ｆｕｌｌ  Ｗｉｄｔｈ  ａｔ  ｈａｌｆ  ｍａｘｉｍｕｍ）が２０°を越えてはならない。より好ましくは１０°を越えないことである。すなわち、反射光量が一定以上大きく、かつ、入射した光を反対側に角度を拡げ過ぎずに反射する特性が必要である。この二つの特性を同時に満たさない限り、本発明の印刷物（１）の所望の効果、いわゆる、正反射光下において、連続的に観察角度を変化させると、視認された画像、特に潜像画像は、色変化を伴いながら観察することができるという効果は生じない。
【００３９】
第一の実施の形態では、画線方向が図３のように二種類存在する蒲鉾状画線（６Ａ、６Ｂ）で構成された蒲鉾状画線群（５）を光反射性要素（４）の上に重ねたが、本発明の蒲鉾状画線群（５）の画線構成はこれに限定されるものではない。
【００４０】
（第二の実施の形態）
第二の実施の形態では、蒲鉾状画線（６）が円弧状の曲線で構成された例について説明する。
【００４１】
図７に示すのは、本発明の印刷物（１'）の一例である。図８に示すように、光反射性要素（４’）の上に蒲鉾状画線群（５’）が重なって情報付与画像（３’）を構成して成る。蒲鉾状画線群（５’）の具体的な画線構成は、特許５７９９４３１号に記載の技術と同様であり、図９に示すように、円弧状の蒲鉾状画線（６’）の凹凸構造を透明なスクリーンインキで形成し、約２０μｍの高さの蒲鉾状画線群（５’）で「桜の花びら」の模様を構成して成る。
【００４２】
本発明における円弧状の蒲鉾状画線（６’）とは、図９（ｃ）に示すように、始点（Ｕ）、頂点（Ｔ）及び終点（Ｖ）を備え、その始点（Ｕ）及び終点（Ｖ）に対して画線が万線状に配列されている第１の方向（Ｓ１）に向かって頂点（Ｔ）が配置された円弧状画線のことである。すなわち、二次元的な円弧状態を示しており、深さ方向に対する三次元的な円弧状態を示すものではない。
【００４３】
以上の構成の印刷物（１’）を正反射光下で角度を変化させながら視認すると、両眼視差により「桜の花びら」の模様が立体的、かつ、動的に視認される効果が生じる。この場合も、第一の実施の形態と同様に、「桜の花びら」の視認性は、光反射性要素（４’）の反射光の嵩上げ効果によって極めて高くなった。
【００４４】
第二の実施の形態の蒲鉾状画線群（５’）の構成は、特開第２０１５−１７１７７４号公報の画線等に置き換えても、本発明の印刷物（１’）は作製可能である。本発明の印刷物（１’）とは、画線方向が少なくとも一つの方向ではない、盛り上がりを有する透明、あるいは半透明な蒲鉾状画線で構成された蒲鉾状画線群（５’）を光反射性要素（４’）の上に重ねるのであれば、蒲鉾状画線群（５’）がいかなる画線構成であっても適用可能である。
【００４５】
なお、本明細書中でいう「正反射」とは、物質にある入射角度で光が入射した場合に、入射した光の角度とほぼ等しい角度に強い反射光が生じる現象を指し、「拡散反射」とは、物質にある入射角度で光が入射した場合に、入射した光の角度と異なる角度に弱い反射光が生じる現象を指す。例えば、虹彩色パールインキを例とすると、拡散反射の状態では無色透明に見えるが、正反射した状態では、特定の干渉色の強い光を発する。また、「正反射光下で観察する」とは、印刷物に入射した光の角度とほぼ等しい反射角度に視点を置いて観察する状態を指し、「拡散反射光下で観察する」とは、印刷物に入射した光の角度と大きく異なる角度で観察する状態を指す。
【００４６】
以下、前述の発明を実施するための形態に従って、具体的に作成した印刷物（１）の実施例について詳細に説明するが、本発明は、この実施例に限定されるものではない。
【００４７】
（実施例１）
実施例１については、第一の実施の形態で説明した印刷物（１）の例で説明する。具体的には、第一の実施の形態と同様に、図１から図４までを用いて説明する。図１に、実施例１の印刷物（１）を示す。印刷物（１）は、基材（２）上に光反射性要素（４）を有し、更にその上に蒲鉾状画線群（５）が重なった情報付与画像（３）を有する。基材（２）には、一般的なコート紙（エスプリコートＦＭ  日本製紙株式会社製）を用いた。
【００４８】
光反射性要素（４）は、透明な薄膜干渉フィルム（ＭＬＦ  テイジン社製）を使用し、基材（２）に貼り付けた。この透明な薄膜干渉フィルムは、拡散反射光下では透明であるが、正反射光下では極めて強い反射光を放ち、明度と色相の両方が大きく変化する、優れた明暗フリップフロップ性及びカラーフリップフロップ性の両方の光学特性を有している。正反射光下における色相は、ピンクから緑色へと変化する。
【００４９】
光反射性要素（４）の正反射の明度（Ｌ＊）及び彩度（Ｃ＊ａｂ）を変角分光光度計（ＧＣＭＳ―４、（株）村上色彩技術研究所）を使用して測定した。測定条件は、Ｄ６５光源、１０度視野、入射光の入射角４５°で固定して、受光角を０°〜８０°の範囲として可視光領域の分光反射率を測定し、測定した分光反射率からＣＩＥ１９７６Ｌ＊ａ＊ｂ＊表色系に基づき、正反射の明度（Ｌ＊）及び彩度（Ｃ＊ａｂ）を算出した。受光角度４５°の正反射の最大明度（Ｌ＊）は８００以上、最大彩度（Ｃ＊ａｂ）は７００以上の極めて高い値を示した。また、それぞれの明度、彩度の半値幅は、１０°であった。
【００５０】
蒲鉾状画線群（５）は、幅（Ｗ１）０．３ｍｍ、インキ皮膜の厚さ０．０２ｍｍの蒲鉾状画線（６Ａ，６Ｂ）が、ピッチ（Ｐ１）０．４ｍｍで連続して第１の方向（Ｓ１）及び第２の方向（Ｓ２）に配置される構成とした。この蒲鉾状画線群（５）は、ＵＶスクリーン印刷方式により、透明なＵＶスクリーンインキ（ＵＶＡ９１１７、（株）セイコーアドバンス）を用いて、基材（２）上に貼付した光反射性要素（４）上に形成した。
【００５１】
印刷物（１）の効果について図４を用いて説明する。拡散反射光下で印刷物（１）を観察しても何も有意情報は確認できなかった。これを正反射光下において特定の角度で印刷物（１）に光を入射させて観察すると、観察者には「ＪＰ」の有意情報が潜像画像として確認でき、観察角度を若干変化させると、やや暗い灰色の光の中に「ＪＰ」がピンク色から緑色の極めて彩度の高い色彩に彩られて極めて強く視認された。
【００５２】
最後に、同じく正反射光下においてやや深い角度で観察した場合、観察者（Ｅ）には、ピンク色から緑色の極めて彩度の高い色彩の中に「ＪＰ」が暗い灰色の色彩で視認された。
【００５３】
したがって、正反射光下での観察角度の変化によって情報付与画像（３）の中の「ＪＰ」とその周囲の色彩が反転するという、高い視認性で観察できることが確認できた。
【符号の説明】
【００５４】
１、１’  偽造防止印刷物
２、２’  基材
３、３’  情報付与画像
４、４’  光反射性要素
５、５’  蒲鉾状画線群
５Ａ  第一の蒲鉾状画線群
５Ｂ  第二の蒲鉾状画線群
６、６’  蒲鉾状画線
６Ａ  第一の蒲鉾状画線
６Ｂ  第二の蒲鉾状画線
７    光源
８    光（入射光、反射光）
Ａ    基材
Ｂ    盛り上がりのある画線
Ｃ    機能性材料
Ｄ    反射光
Ｅ    観察者
Ｆ    機能性フィルム
Ｓ１    第１の方向
Ｓ２    第２の方向
Ｔ    頂点
Ｕ    始点
Ｖ    終点
【図１】
2018065266.tif 000003
【図２】
2018065266.tif 000004
【図３】
2018065266.tif 000005
【図４】
2018065266.tif 000006
【図５】
2018065266.tif 000007
【図６】
2018065266.tif 000008
【図７】
2018065266.tif 000009
【図８】
2018065266.tif 000010
【図９】
2018065266.tif 000011
【図１０】
2018065266.tif 000012
【図１１】
2018065266.tif 000013